(57)【要約】【課題】チューナー部から表示部への伝送が途切れても、視聴しているＴＶ番組の場面を見逃すことなく視聴できるテレビ放送装置を提供することを目的とする。【解決手段】テレビ放送を受信するチューナー部１と、チューナー部１から無線通信によって映像音声信号を受け、これに基づいて映像を表示する表示部３と、チューナー部１とネットワークで接続され、表示部３における映像音声信号の受信状態に基づいて、チューナー部１から当該チューナー部１が受信した放送信号を受け、これを記録する記録部２と、を備えた。【選択図】図２
2010136160.tif 000002
【特許請求の範囲】
【請求項１】
テレビ放送を受信するチューナー部と、
前記チューナー部から無線通信によって映像音声信号を受け、これに基づいて映像を表示する表示部と、
前記チューナー部とネットワークで接続され、前記表示部における前記映像音声信号の受信状態に基づいて、前記チューナー部から前記ネットワークを介して当該チューナー部が受信した放送信号を受け、これを記録する記録部と、を備えたテレビ放送受信装置。
【請求項２】
前記表示部は、当該表示部で受信する前記映像音声信号の受信状態を検出する受信状態監視部を備え、
前記チューナー部は、前記受信状態が良好でない場合に、前記放送信号を前記記録部に送出して記録し、前記受信状態が良好に転じた場合に、前記記録部に記録された前記放送信号を読み出す記録再生制御部を備え、
前記記録部から読み出された前記放送信号は、前記映像音声信号として前記表示部に無線送信される、請求項１に記載のテレビ放送受信装置。
【請求項３】
前記記録部は前記チューナー部とネットワークファイルシステムによりネットワーク接続され、記憶装置を備えた汎用パーソナルコンピュータ（ＰＣ）であり、
前記記録再生制御部は、前記ネットワークファイルシステムによって前記記憶装置に対して前記放送信号の記録及び読み出しを行う、請求項２に記載のテレビ放送受信装置。
【請求項４】
前記チューナー部と前記記録部を接続する前記ネットワークは無線ＬＡＮである、請求項１〜３のいずれかに記載のテレビ放送受信装置。
【請求項５】
前記チューナー部は、
前記表示部に前記映像音声信号を送信する無線送信部と、
前記無線送信部における前記表示部に送信する前の前記映像音声信号を受ける送信状態監視部と、
チューナー側無線ＬＡＮインターフェース（Ｉ／Ｆ）と、を備え、
前記記録部は、
前記チューナー側無線ＬＡＮＩ／Ｆと無線ＬＡＮ通信を行う記録側無線ＬＡＮＩ／Ｆと、
記憶装置と、を備え、
前記チューナー側無線ＬＡＮＩ／Ｆは、前記無線送信部から前記表示部に無線送信される前記映像音声信号を受信信号として受信し、
前記送信状態監視部は、前記無線送信部における前記映像音声信号と前記受信信号とから、伝送帯域内の妨害信号レベルを算出し、
前記チューナー部は、前記妨害信号レベルが所定値以上の場合に、受信中の前記放送信号を前記記録部に送出して記録し、前記妨害信号レベルが所定値以下に下がった場合に、前記記録部に記録された前記放送信号を読み出す記録再生制御部をさらに備え、
前記記録部から読み出された前記放送信号は、前記映像音声信号として前記表示部に無線送信され、
前記記録再生制御部は、前記チューナー側無線ＬＡＮＩ／Ｆ及び前記記録側無線ＬＡＮＩ／Ｆを介して、前記記憶装置に対して前記放送信号の記録及び読み出しを行う、請求項１に記載のテレビ放送受信装置。
【請求項６】
前記記録部は前記チューナー部とネットワークファイルシステムによりネットワーク接続されたＰＣであり、
前記記録再生制御部は、前記チューナー側無線ＬＡＮＩ／Ｆ及び前記記録側無線ＬＡＮＩ／Ｆを介して、ネットワークファイルシステムにより前記記憶装置に対して前記放送信号の記録及び読み出しを行う、請求項５に記載のテレビ放送受信装置。
【請求項７】
前記チューナー部は、前記放送信号をデコードするデコーダを備え、
前記デコーダは、前記記録再生制御部によって読み出された前記放送信号のストリームから一定の割合でフレームを間引いてデコードし、前記映像音声信号として出力する、請求項２又は５に記載のテレビ放送受信装置。
【請求項８】
前記デコーダは、
前記放送信号をビデオストリームとオーディオストリームに分離する分離手段と、  
前記ビデオストリームの一部を抽出するストリーム抽出手段と、
前記抽出後の前記ビデオストリームを映像信号としてデコードするビデオデコーダと、
前記オーディオストリームを音声信号としてデコードするオーディオデコーダと、
前記映像信号と前記音声信号の再生を同期させ、前記映像音声信号として出力させる再生速度制御手段と、を備えた請求項７に記載のテレビ放送受信装置。
【発明の詳細な説明】
【技術分野】
【０００１】
本発明は、テレビ放送を受信するチューナー装置と映像を表示する表示装置を分離して、チューナー装置で選択した放送チャンネルの映像を表示装置に無線送信するように構成したテレビ放送受信装置に関するものである。
【背景技術】
【０００２】
近年のテレビ放送受信装置の表示画面は薄型化され、壁掛けタイプの商品が発売されている。このような薄型のテレビ放送受信装置では、表示部（モニタ）とテレビ放送の受信やデコード等を行うチューナー部をそれぞれ独立したユニットとし、ＨＤＭＩ等のインターフェース規格に基づきケーブルで、チューナー部から表示部に映像信号を伝送している。このチューナー部から表示部へのケーブル接続をなくすため、チューナー部から表示部に無線により映像信号を伝送する方式が近年導入され始めている。このような伝送方式としては非特許文献１に紹介されているようにＷｉｒｅｌｅｓｓ  ＨＤ、ＷＨＤＩ、ＵＷＢ等が提案されている。ここで、チューナー部から表示部へ伝送すべき映像信号はベースバンドＨＤＴＶであり、非圧縮８ビットカラー７２０ラインプログレッシブ・フレームレート６０Ｈｚの場合、ビットレートは１．４Ｇｂｐｓとなる。このため、高ビットレート映像データを安定に伝送するために様々な工夫がなされている。特許文献１はその具体例の一つで、画像データを粗部と精細部に分ける圧縮法とＭＩＭＯ無線技術を使って、高ビットレートの映像データをノイズの多い環境下でも画面を途切れさせることなく表示出来るシステムを構築している。
【０００３】
無線伝送では、遮蔽物等によって妨げられないように設置することが前提となり、設置時の配置に注意することで、通常は良好な伝送が行われる。しかしながら、近隣の無線ＬＡＮ等が同じ帯域を使って通信を始めた場合等は、帯域内の雑音が増加して無線伝送が不可能になる場合がある。
【０００４】
【非特許文献１】Electronic Engineering Times, June 2, 2008, pp.10-11
【特許文献１】特表２００７−５０７１４７号公報
【発明の開示】
【発明が解決しようとする課題】
【０００５】
上記のように無線伝送では、無線ＬＡＮと伝送帯域が競合すること等により信号伝送を継続出来ない場合がある。そのため、チューナー部から表示部にＴＶ放送を無線送信する形態のテレビ放送受信装置では、無線伝送が途切れた間の視聴が出来ず、ＴＶ番組の場面の一部を見逃してしまう可能性がある。
【０００６】
本発明は上述の問題に鑑み、チューナー部から表示部への伝送が途切れても、視聴しているＴＶ番組の場面を見逃すことなく視聴できるテレビ放送装置を提供することを目的とする。
【課題を解決するための手段】
【０００７】
本発明に係るテレビ放送受信装置は、テレビ放送を受信するチューナー部と、チューナー部から無線通信によって映像音声信号を受け、これに基づいて映像を表示する表示部と、チューナー部とネットワークで接続され、表示部における映像音声信号の受信状態に基づいて、チューナー部から当該チューナー部が受信した放送信号を受け、これを記録する記録部と、を備えた。
【発明の効果】
【０００８】
本発明に係るテレビ放送受信装置は、放送信号を記録する記録部を備えているため、記録部から適宜放送信号を読み出すことにより、チューナー部から表示部への伝送が途切れても、視聴しているＴＶ番組の場面を見逃すことなく視聴することが可能となる。
【発明を実施するための最良の形態】
【０００９】
（実施の形態１）
＜構成＞
図１は、実施の形態１に係るテレビ放送受信装置の構成を示すブロック図である。実施の形態１に係るテレビ放送受信装置は、チューナー部１、記録部２、表示部３を備えている。チューナー部１はテレビ放送を受信し、表示部３はチューナー部１で受信したテレビ放送を表示し、記録部２は必要に応じてチューナー部１で受信したテレビ放送を記録する。
【００１０】
チューナー部１は、ＲＦ受信部１、デジタル復調器５、デコーダ６、記録再生制御部７、無線送信部８を備えている。
【００１１】
ＲＦ受信部１は、テレビ放送をアンテナ１６から入力されるＲＦ信号として受信する。ＲＦ受信部１で受信したＲＦ信号は、ＶＳＢ、ＱＡＭ、ＯＦＤＭ等でデジタル変調されており、デジタル復調器５において放送データとして復調される。デコーダ６は、デジタル復調器５から放送データを受け、圧縮された放送データから元の信号を復元し、映像音声信号として出力する。無線送信部８は、デコーダ６から映像音声信号を受け、これを無線で表示部３に送出する。
【００１２】
一方、記録再生制御部７はデジタル復調器５から放送信号（放送データ）を受け、ネットワークを経由して放送信号を記録部２に送信し、さらに記録部２からも必要に応じて信号を受信する。
【００１３】
次に、表示部３は、無線受信部１３、表示処理部１４、受信状態監視部１２、表示装置１５を備えている。
【００１４】
無線受信部１３は、チューナー部１から無線で伝送される映像音声信号を受信する。表示処理部１４は、無線受信部１３から映像音声信号を受けて、これを表示装置１５における表示に適した信号に変換する。表示装置１５はＬＣＤやプラズマパネル等であって、表示処理部１４から受けた映像音声信号に基づいて映像を表示する。受信状態監視部１２は、無線受信部１３における映像音声信号の受信状態を監視する。
【００１５】
次に、記録部２は、放送信号送受信部９と、ディスク制御部１０と、ハードディスクドライブ（ＨＤＤ）１１と、を備えている。
【００１６】
放送信号送受信部９は、チューナー部１からネットワーク経由で放送信号を受信し、ディスク制御部１０に放送信号を出力する。ディスク制御部１０は放送信号送受信部９から受けた放送信号をＨＤＤ１１に書き込む。さらに、ディスク制御部１０は必要に応じてＨＤＤ１１から放送信号を読み出し、これを放送信号送受信部９に出力する。放送信号送受信部９では読み出された放送信号をネットワーク経由で記録再生制御部７に送信する。
【００１７】
なお、記録部２における記録媒体をＨＤＤとして説明したが、記録媒体は放送信号を記録出来るものであれば良く、ＨＤＤに限らずメモリなどの他の媒体でも良い。
【００１８】
すなわち、実施の形態１に係るテレビ放送受信装置は、テレビ放送を受信するチューナー部１と、チューナー部１から無線通信によって映像音声信号を受け、これに基づいて映像を表示する表示部３と、チューナー部１とネットワークで接続され、表示部３における映像音声信号の受信状態に基づいて、チューナー部１からネットワークを介してチューナー部１が受信した放送信号を受け、これを記録する記録部２と、を備えている。チューナー部１〜表示部３の受信状態が悪化している間の放送信号を記録部２で記録することによって、視聴者はテレビ番組を見逃さずに済む。さらに、チューナー部１と記録部２とをネットワーク接続にしたことにより、１台の記録部２で複数のチューナー部１と表示部３に対応することができる。すなわち、複数のテレビ放送受信装置があっても記録部２は１台で済む。
【００１９】
＜動作＞
次に、実施の形態１に係るテレビ放送受信装置の動作について説明する。アンテナ１６から入力されたＴＶ放送はＲＦ受信部４でＲＦ信号として受信され、選局される。ＲＦ信号はデジタル復調器５で復調処理が行われ、放送信号として復調する。ここで放送信号は、ＭＰＥＧ規格などにより圧縮されたデジタル映像・音声信号である。放送信号は、デコーダ６で復号処理が行われて、ベースバンド信号として映像音声信号に変換される。その後、映像音声信号は無線送信部８から表示部３へ無線伝送される。
【００２０】
表示部３では、チューナー部１の無線送信部８から無線伝送される映像音声信号を無線受信部１３で受信し、表示処理部１４において、表示装置１５で表示するのに適した信号形式に変換される。その後映像音声信号は表示処理部１４から表示装置１５に入力されて、表示装置１５で映像音声信号に基づいて映像が表示される。
【００２１】
受信状態監視部１２は無線受信部１３における無線伝送の受信状態を監視し、良好か否かを判断する。受信状態の判断方法としては、例えば、無線送信部８において映像音声信号に誤り検出符号を挿入し、無線受信部１３における誤り率を算出する。
【００２２】
受信状態の判断結果は、チューナー部１の記録再生制御部７に伝えられる。すなわち、チューナー部１では、無線受信監視部１２から送られてくる受信状態を記録再生制御部７で受信する。受信状態の伝送は、無線送信部８と無線受信部１３で行う無線伝送のバックチャンネルが使用できればその一部を利用して行い、使用不可の場合は、別途無線ＬＡＮ等を導入し、通信を確立する。
【００２３】
受信状態が悪化し画面表示に支障が生じると判断されると、記録再生制御部７は、デジタル復調器５から送られてくる放送信号を記録部２にネットワークを経由して送信し、記録部２で放送信号を記録するように指示する。記録部２では、チューナー部１から送られてくる放送信号のストリームを放送信号送受信部９で受信し、ディスク制御部１０を介してＨＤＤ１１に記録する。
【００２４】
また、ＨＤＤ１１に記録を開始した後にチューナー部１〜表示部３間の無線伝送状態が改善された場合、記録再生制御部７は記録部２に対して、放送信号の記録を続けつつ、ＨＤＤ１１に記録した放送信号を再生する指示を出す。すると放送信号はＨＤＤ１１からディスク制御部１０を介して放送信号送受信部９に読み出され、さらにネットワークを介して記録再生制御部７に送信される。こうして再生された放送信号のストリームはデコーダー６に送られ、デジタル復調器５からの出力に代えてデコードされる。以下、記録部２から読み出された放送信号はデジタル復調器５から出力される放送信号と同様の処理がなされ、映像音声信号として表示部３に無線送信されて表示装置１５で画面表示される。
【００２５】
すなわち、表示部３は、表示部３で受信する映像音声信号の受信状態を検出する受信状態監視部１２を備え、チューナー部１は、当該受信状態が良好でない場合に、放送信号を記録部２に送出して記録し、受信状態が良好に転じた場合に、記録部２に記録された放送信号を読み出す記録再生制御部７を備え、記録部２から読み出された放送信号は、映像音声信号として表示部３に無線送信される。これにより、視聴者は無線伝送の受信状態が悪かった時のテレビ放送を記録部２から再生して視聴すれば、テレビ放送を常に見逃さずに済む。
【００２６】
これ以降ＴＶ受信終了時点まで、記録部２における放送信号の記録と読み出しを同時に行い続ける。長時間テレビ番組を連続して視聴する場合は、放送信号の記録容量が膨大になるが、再生済みのデータを順次消去していくことにより、使用するＨＤＤ１１の記憶容量を削減することが出来る。
【００２７】
なお、受信状態監視部１２は、映像音声信号の誤り率が所定値を超えた場合に受信状態が悪化したと判断しても良い。受信状態が悪化すると無線送信部８は無線受信部１３に対して映像音声信号の伝送を行わない（あるいは行えない）が、送信部８は誤り率が算出可能な何らかの信号を無線受信部１３に送り続け、誤り率が所定値を下回った時点で記録部２から放送信号の再生を開始する。
【００２８】
なお、チューナー部１と記録部２間のネットワークとしては種々使用可能なものがあるが、無線ＬＡＮを使用することができる。
【００２９】
すなわち、チューナー部１と記録部２を接続するネットワークは無線ＬＡＮである。これにより、チューナー部１と記録部２の間のケーブル接続が不要になる。
【００３０】
＜効果＞
すなわち、実施の形態１に係るテレビ放送受信装置は、テレビ放送を受信するチューナー部１と、チューナー部１から無線通信によって映像音声信号を受け、これに基づいて映像を表示する表示部３と、チューナー部１とネットワークで接続され、表示部３における映像音声信号の受信状態に基づいて、チューナー部１からネットワークを介してチューナー部１が受信した放送信号を受け、これを記録する記録部２と、を備えている。チューナー部１〜表示部３の受信状態が悪化している間の放送信号を記録部２で記録することによって、視聴者はテレビ番組を見逃さずに済む。さらに、チューナー部１と記録部２とをネットワーク接続にしたことにより、１台の記録部２で複数のチューナー部１と表示部３に対応することができる。すなわち、複数のテレビ放送受信装置があっても記録部２は１台で済む。
【００３１】
さらに、表示部３は、表示部３で受信する映像音声信号の受信状態を検出する受信状態監視部１２を備え、チューナー部１は、当該受信状態が良好でない場合に、放送信号を記録部２に送出して記録し、受信状態が良好に転じた場合に、記録部２に記録された放送信号を読み出す記録再生制御部７を備え、記録部２から読み出された放送信号は、映像音声信号として表示部３に無線送信される。これにより、視聴者はチューナー部１〜表示部３の受信状態が悪化している間のテレビ放送を常に見逃さずに済む。
【００３２】
又、チューナー部１と記録部２を接続するネットワークは無線ＬＡＮである。これにより、チューナー部１と記録部２の間のケーブル接続が不要になる。
【００３３】
（実施の形態２）
＜構成＞
図２は、実施の形態２に係るテレビ放送受信装置の構成を示したブロック図である。実施の形態２のテレビ放送受信装置は、実施の形態１において記録部２を汎用パーソナルコンピュータ（以下「ＰＣ」と称す。）２０に置き換えたものであり、さらにチューナー部１はネットワークファイルシステムインターフェース（Ｉ／Ｆ）１７を備えている。これ以外の構成は実施の形態１と同様であるため、説明を省略する。
【００３４】
記録再生制御部７はネットワークファイルシステムＩ／Ｆ１７を通してＨＤＤ１１との間で放送信号の送受信を行う。
【００３５】
ここで、ネットワークファイルシステムとは、ネットワークで接続されたＰＣに内蔵され、あるいはローカルディスクとして接続されている記憶装置を、あたかも自身が持つ記憶装置として利用してファイルを共有するシステムで、Ｗｉｎｄｏｗｓ（登録商標）ではファイル共有、Ｌｉｎｕｘ／Ｕｎｉｘ（登録商標）等のオペレーティングシステム（ＯＳ）上ではＮＦＳ（Ｎｅｔｗｏｒｋ  Ｆｉｌｅ  Ｓｙｓｔｅｍ）と呼ばれるソフトウェアとして一般に提供されており、通常ＰＣにソフトウェアを追加する必要なしに利用が可能である。
【００３６】
＜動作＞
実施の形態２のテレビ放送受信装置の動作は、記録再生制御部７が放送信号を記録し再生する部分を除いて、実施の形態１と同様である。
【００３７】
記録再生制御部７は、無線受信部１３における映像音声信号の受信状態が悪化したことが無線受信監視部１２から伝えられると、デジタル復調器５から受けた放送信号をネットワークファイルシステムＩ／Ｆ１７を通してＰＣ２０のＨＤＤ１１に記録する。このとき、ＰＣ２０上の記憶装置は、ネットワークファイルシステムによって記録再生制御部７からはローカルディスクと同じように見えるので、直接書込が行われる。
【００３８】
受信状態が改善されると、記録再生制御部７はＨＤＤ１１に記録した放送信号を読み出す。これ以降の動作は実施の形態１と同様であり、読み出された放送信号はデコーダ６で映像音声信号として復号され、映像音声信号は無線送信部８から表示部３の無線受信部１３に無線送信され、表示装置１５において画像表示が再開される。
【００３９】
すなわち、実施の形態２のテレビ放送受信装置において、記録部２はチューナー部１とネットワークファイルシステムによりネットワーク接続され、記憶装置としてのＨＤＤ１１を備えたＰＣ２０であり、記録再生制御部７は、ネットワークファイルシステムによってＨＤＤ１１に対して放送信号の記録及び読み出しを行う。このように、実施の形態２では放送信号を記録する手段として汎用ＰＣ２０を用いているため、新たに放送信号を記録する装置を用意する必要が無い。
【００４０】
＜効果＞
実施の形態２のテレビ放送受信装置では、上述した通り、記録部２はチューナー部１とネットワークファイルシステムによりネットワーク接続され、記憶装置としてのＨＤＤ１１を備えたＰＣ２０であり、記録再生制御部７は、ネットワークファイルシステムによってＨＤＤ１１に対して放送信号の記録及び読み出しを行う。このように、実施の形態２では放送信号を記録する手段として汎用ＰＣ２０を用いているため、新たに放送信号を記録する装置を用意する必要が無い。
【００４１】
（実施の形態３）
＜構成＞
図３は、実施の形態３に係るテレビ放送受信装置の構成を示したブロック図である。実施の形態３のテレビ放送受信装置は、実施の形態１のテレビ放送受信装置において、チューナー部１にチューナー側無線ＬＡＮＩ／Ｆ２２、記録部２に記録側無線ＬＡＮＩ／Ｆ２３を追加したものである。さらに、チューナー部１〜表示部３間の無線通信状態を監視する手段として、表示部２の受信状態監視部１２に代えて、チューナー部１に送信状態監視部１８を備えている。これ以外の構成は実施の形態１と同様であるため、説明は省略する。
【００４２】
実施の形態３では、チューナー部１から表示部２への無線伝送が、一般に無線ＬＡＮに使われる５ＧＨｚ帯を用いて行われることを前提とする。
【００４３】
チューナー側無線ＬＡＮＩ／Ｆ２２は、５ＧＨｚ帯に対応した規格ＩＥＥＥ８０２．１１ａ等に準拠しており、チューナー部１から表示部２への無線伝送される映像音声信号を図３の点線に示すように受信信号として受信するとともに、記録側無線ＬＡＮＩ／Ｆ２３と対になってチューナー部１〜記録部２間の放送信号の受け渡しを行う。
【００４４】
＜動作＞
送信状態監視部１８は、無線送信部８から送出前の映像音声信号を得ると共に、チューナー側無線ＬＡＮＩ／Ｆ２２から受信信号を受け、これらの比較演算を行うことにより、無線送信部８から無線受信部１３に無線伝送される映像音声信号の伝送帯域内に存在する妨害信号レベルを算出する。
【００４５】
送信状態監視部１８で、無線送信部８から送信される映像音声信号の出力レベルに対して妨害信号レベルが所定の値を超えたと判断されると、チューナー部１から表示部３への無線伝送が正常に行えないため、記録部２のＨＤＤ１１へ放送信号の記録が開始される。
【００４６】
記録部２への放送信号の記録は、実施の形態１で説明したとおりである。但し、実施の形態３では、チューナー部１と記録部２のネットワーク接続がチューナー側無線ＬＡＮＩ／Ｆ２２と記録側無線ＬＡＮＩ／Ｆ２３によって確立された無線ＬＡＮ接続であり、当該無線ＬＡＮを介して記録再生制御部７は放送信号の記録及び読み出しを記録部２に対して行う。ただし、チューナー部１から表示部３への映像音声信号の送信に５ＧＨｚ帯を使うため、記録部２に対する無線送受信は、例えば２．４ＧＨｚ帯（ＩＥＥＥ８０２．１１ｇ等）を用いるものとする。
【００４７】
すなわち、妨害信号レベルが所定の値を超えると、記録再生制御部７はデジタル復調器５から受けた放送信号をチューナー側無線ＬＡＮＩ／Ｆ２２へ送る。チューナー側無線ＬＡＮＩ／Ｆ２２は無線ＬＡＮを介して記録側無線ＬＡＮＩ／Ｆ２３に放送信号を送出し、記録側無線ＬＡＮＩ／Ｆ２３は放送信号送受信部９に放送信号を送る。以降の動作は実施の形態１で既に説明したとおりに、ＨＤＤ１１に放送信号が記録される。又、送信状態監視部１８で妨害信号レベルが所定の値より小さくなったと判断されると、ＨＤＤ１１に記録された放送信号が記録側無線ＬＡＮＩ／Ｆ２３及びチューナー側無線ＬＡＮＩ／Ｆ２２を介して記録再生制御部７に読み出される。
【００４８】
すなわち、実施の形態３のテレビ放送受信装置において、上述した通り、チューナー部１は、表示部３に映像音声信号を送信する無線送信部８と、無線送信部８における表示部３に送信する前の映像音声信号を受ける送信状態監視部１８と、チューナー側無線ＬＡＮＩ／Ｆ２２と、を備え、記録部３はチューナー側無線ＬＡＮＩ／Ｆ２２と無線ＬＡＮ通信を行う記録側無線ＬＡＮＩ／Ｆ２３と記憶装置としてのＨＤＤ１１と、を備え、チューナー側無線ＬＡＮＩ／Ｆ２２は、無線送信部８から表示部３に無線送信される映像音声信号を受信信号として受信し、送信状態監視部１８は、無線送信部８における映像音声信号と受信信号とから、伝送帯域内の妨害信号レベルを算出し、チューナー部１は、妨害信号レベルが所定値以上の場合に、受信中の放送信号を記録部２に送出して記録し、妨害信号レベルが所定値以下に下がった場合に、記録部２に記録された放送信号を読み出す記録再生制御部７をさらに備え、記録部２から読み出された放送信号は、映像音声信号として表示部３に無線送信され、記記録再生制御部７は、チューナー側無線ＬＡＮＩ／Ｆ２２及び記録側無線ＬＡＮＩ／Ｆ２３を介して、ＨＤＤ１１に対して放送信号の記録及び読み出しを行う。本実施の形態では、表示部３に映像音声信号の受信状態を監視する手段を設ける必要がないため、表示部３を簡素化することが可能となる。さらに、映像音声信号を受信するチューナー側無線ＬＡＮＩ／Ｆ２２を、記録部２との放送信号の送受信にも用いることが出来るため、チューナー部１〜記録部２間の配線が不要になる。
【００４９】
＜効果＞
実施の形態３のテレビ放送受信装置において、チューナー部１は、表示部３に映像音声信号を送信する無線送信部８と、無線送信部８における表示部３に送信する前の映像音声信号を受ける送信状態監視部１８と、チューナー側無線ＬＡＮＩ／Ｆ２２と、を備え、記録部３はチューナー側無線ＬＡＮＩ／Ｆ２２と無線ＬＡＮ通信を行う記録側無線ＬＡＮＩ／Ｆ２３と記憶装置としてのＨＤＤ１１を備え、チューナー側無線ＬＡＮＩ／Ｆ２２は、無線送信部８から表示部３に送信される映像音声信号を受信信号として受信し、送信状態監視部１８は、無線送信部８における映像音声信号と受信信号とから、伝送帯域内の妨害信号レベルを算出し、チューナー部１は、妨害信号レベルが所定値以上の場合に、受信中の放送信号を記録部２に送出して記録し、妨害信号レベルが所定値以下に下がった場合に、記録部２に記録された放送信号を読み出す記録再生制御部７をさらに備え、記録部２から読み出された放送信号は、映像音声信号として表示部３に無線送信され、記記録再生制御部７は、チューナー側無線ＬＡＮＩ／Ｆ２２及び記録側無線ＬＡＮＩ／Ｆ２３を介して、ＨＤＤ１１に対して放送信号の記録及び読み出しを行う。本実施の形態では、表示部３に映像音声信号の受信状態を監視する手段を設ける必要がないため、表示部２を簡素化することが可能となる。さらに、映像音声信号を受信するチューナー側無線ＬＡＮＩ／Ｆ２２を、記録部３との放送信号の送受信にも用いることが出来るため、チューナー部１〜記録部２間の配線が不要になる。
【００５０】
（実施の形態４）
図４は、実施の形態４に係るテレビ放送受信装置の構成を示したブロック図である。実施の形態４のテレビ放送受信装置は、実施の形態３のテレビ放送受信装置において、記録部２を汎用ＰＣ２０に置き換えたものであり、その他の構成は実施の形態３と同様である。
【００５１】
ＰＣ２０は実施の形態３における記録部２と同様に、記録側無線ＬＡＮＩ／Ｆ２３を備え、記憶媒体としてＨＤＤ１１を備えている。又、ＰＣ２０はネットワークファイルシステムに対応しており、チューナー部１の記録再生制御部７は、チューナー側無線ＬＡＮＩ／Ｆ２２と記録側無線ＬＡＮＩ／Ｆ２３を介して、ＰＣ２０上のＨＤＤ１１に対し放送信号を記録したり再生することが可能である。
【００５２】
すなわち、記録部３はチューナー部１とネットワークファイルシステムによりネットワーク接続されたＰＣ２０であり、記録再生制御部７は、チューナー側無線ＬＡＮＩ／Ｆ２２及び記録側無線ＬＡＮＩ／Ｆ２３を介して、ネットワークファイルシステムにより記憶装置としてのＨＤＤ１１に対して放送信号の記録及び読み出しを行う。このように、実施の形態４では放送信号を記録する手段として汎用ＰＣ２０を用いているため、実施の形態３の効果に加えて、新たに放送信号を記録する装置を用意する必要が無い。
【００５３】
＜効果＞
実施の形態４に係るテレビ放送受信装置において、上述した通り、記録部３はチューナー部１とネットワークファイルシステムによりネットワーク接続されたＰＣ２０であり、記録再生制御部７は、チューナー側無線ＬＡＮＩ／Ｆ２２及び記録側無線ＬＡＮＩ／Ｆ２３を介して、ネットワークファイルシステムにより記憶装置としてのＨＤＤ１１に対して放送信号の記録及び読み出しを行う。このように、実施の形態４では放送信号を記録する手段として汎用ＰＣ２０を用いているため、実施の形態３の効果に加えて、新たに放送信号を記録する装置を用意する必要が無い。
【００５４】
（実施の形態５）
＜構成＞
実施の形態５に係るテレビ放送受信装置は、実施の形態１〜４のいずれかのテレビ放送受信装置において、放送信号を映像音声信号として復号するデコーダ６（図１〜図４参照）に、記録再生制御部７から受けた放送信号の再生時間を短縮する機能を持たせたものである。
【００５５】
図５は、実施の形態５のデコーダ６の構成を示すブロック図である。
【００５６】
デコーダ６は、デマルチプレクサ３０、ストリーム抽出手段３１、ビデオデコーダ３２、ビデオストリーム解析手段３３、再生速度制御手段３４、オーディオデコーダ３５を備えている。
【００５７】
デマルチプレクサ３０は、記録再生制御部７から映像信号と音声信号が多重された放送信号を受け、これをビデオストリームとオーディオストリームに分離する。ビデオストリーム解析手段３３は、デマルチプレクサ３０からビデオストリームを受け、これを解析して抽出すべきストリーム位置を決定する。ストリーム抽出手段３１は、デマルチプレクサ３０からビデオストリームを受け、デコード可能な形でビデオストリームの一部を切り出す（すなわちフレームを間引きする）。ビデオデコーダ３２はストリーム抽出手段３１からビデオストリームを受け、ＭＰＥＧ２規格に従ってこれをデコードする。
【００５８】
オーディオデコーダ３５は、デマルチプレクサ３０からオーディオストリームを受け、ＭＰＥＧ２規格に従ってこれを音声信号としてデコードする。ここで、再生速度制御手段３４の制御を受けてクロック周波数を調整することにより、ビデオデコーダ３２でデコードされる映像信号の再生速度に合わせてデコードを行う。
【００５９】
すなわち、実施の形態５のテレビ放送受信装置において、チューナー部１は、放送信号をデコードするデコーダ６を備え、デコーダ６は、記録再生制御部７によって読み出された放送信号のストリームから一定の割合でフレームを間引いてデコードし、映像音声信号として出力する。視聴が途切れた間のテレビ放送は記録部２で記録され通信状態が回復した後に読み出して再生するが、高速再生することにより実際の放送に追いつくことができ、それ以降の放送の記録を不要にすることが出来る。
【００６０】
さらに、デコーダ６は、放送信号をビデオストリームとオーディオストリームに分離する分離手段３０と、ビデオストリームの一部を抽出するストリーム抽出手段３１と、抽出後のビデオストリームを映像信号としてデコードするビデオデコーダ３２と、オーディオストリームを音声信号としてデコードするオーディオデコーダ３５と、映像信号と音声信号の再生を同期させ、映像音声信号として出力させる再生速度制御手段３４と、を備えている。視聴が途切れた間のテレビ放送は記録部２で記録され通信状態が回復した後に読み出して再生するが、高速再生することにより実際の放送に追いつくことができ、それ以降の放送の記録を不要にすることが出来る。
【００６１】
＜動作＞
図６は、ビデオストリームの各フレームを示した図である。ＭＰＥＧ２形式で符号化された放送信号のビデオストリームは、図６に示すように各フレームをＩ、Ｂ、Ｐの３種類に分けてエンコードされる。Ｉはイントラフレームで、フレーム内に閉じた符号化が行われ他のフレームに依存することなくデコードしてフレーム画面を得ることが出来る。Ｐは予測フレームで、先行するＩまたはＰフレームから動き補償予測によってフレーム間の差分を符号化するため、フレーム内で閉じたＩフレームよりは少ないデータ量で１フレーム分を符号化できる。さらに、Ｂは双方向予測フレームで、直前のＩまたはＰフレームと直後のＩまたはＰフレームの双方から動き補償予測に基づく最小量のデータとなるように符号化したものである。
【００６２】
再生速度を上げるには、デコードするストリームから一定の割合でフレームを間引く。例えば放送信号では３０フレーム/秒であるため、１秒につき１フレームを間引くとすれば、３０／２９倍速で再生が進むことになる。
【００６３】
ここで、フレームを間引くにはデコード後の映像信号から間引いても良いが、再生速度が上がるとその分デコーダーも速く動作しなければならず、ビデオデコーダ３２は通常の再生よりも高速に動作するものが必要になる。そこで実施の形態５ではフレームを間引いた後でデコードしている。
【００６４】
次に、デコーダ６の動作を説明する。デジタル復調器５からデマルチプレクサ３０に入力した放送信号は、ビデオストリームとオーディオストリームに分離される。ビデオストリームはビデオストリーム解析手段３３に送られて、取り除くべきフレームに対応したストリーム部分が決定される。ビデオストリーム解析手段３３は、再生速度制御手段３４から送られてくる再生速度指示に基づき一定周期毎に間引くべきフレーム数を算出している。
【００６５】
Ｉ、Ｐフレームを間引くと、続くＰ、Ｂフレームがデコードできなくなり、次のＩフレームまで映像が表示できない。そのため、間引き対象はＢフレームとし、Ｂフレームが無い場合はＩフレームの直前のＰフレームを間引くように、ビデオストリーム解析手段３３はストリーム抽出手段３１に対して指示を出す。
【００６６】
ストリーム抽出手段３１ではビデオストリーム解析手段３３の指示通りフレームが間引かれ、間引かれたビデオストリームはビデオデコーダ３２でデコードされる。
【００６７】
ビデオデコーダ３２は、入力ストリームを順次デコードし、フレームのドロップを検出すると、次のフレームのデータまでスキップしてデコードを続けるものとする。このとき、例えば１秒間に３０フレームの一定レートでビデオストリームがストリーム抽出手段３１に入力され続ければ、ストリーム抽出手段３１でドロップするフレームの割合に応じて再生速度を調整できる。一方、音声については、オーディオデコーダ３５のクロック周波数を高める等により、デコード速度を早くして対応する。ビデオとオーディオが同期した速度でデコードが行われるよう再生速度制御手段３４がビデオ、オーディオ両者の再生を制御する。
【００６８】
＜効果＞
すなわち、実施の形態５のテレビ放送受信装置において、チューナー部１は、放送信号をデコードするデコーダ６を備え、デコーダ６は、記録再生制御部７によって読み出された放送信号のストリームから一定の割合でフレームを間引いてデコードし、映像音声信号として出力する。視聴が途切れた間のテレビ放送は記録部２で記録され通信状態が回復した後に読み出して再生するが、高速再生することにより実際の放送に追いつくことができ、それ以降の放送の記録を不要にすることが出来る。
【００６９】
さらに、デコーダ６は、放送信号をビデオストリームとオーディオストリームに分離する分離手段としてのデマルチプレクサ３０と、ビデオストリームの一部を抽出するストリーム抽出手段３１と、抽出後のビデオストリームを映像信号としてデコードするビデオデコーダ３２と、オーディオストリームを音声信号としてデコードするオーディオデコーダ３５と、映像信号と音声信号の再生を同期させ、映像音声信号として出力させる再生速度制御手段３４と、を備えている。視聴が途切れた間のテレビ放送は記録部２で記録され通信状態が回復した後に読み出して再生するが、高速再生することにより実際の放送に追いつくことができ、それ以降の放送の記録を不要にすることが出来る。
【図面の簡単な説明】
【００７０】
【図１】実施形態１のテレビ放送受信装置の構成を示すブロック図である。
【図２】実施形態２のテレビ放送受信装置の構成を示すブロック図である。
【図３】実施形態３のテレビ放送受信装置の構成を示すブロック図である。
【図４】実施形態４のテレビ放送受信装置の構成を示すブロック図である。
【図５】実施形態５のデコーダの構成を示すブロック図である。
【図６】実施形態５のデコーダの動作を示す概念図である。
【符号の説明】
【００７１】
１  チューナー部、２  記録部、３  表示部、６  デコーダ、７  記録再生制御部、１１  ハードディスク、１２  受信状態監視部、１８  ネットワークファイルシステムＩ／Ｆ、２０  ＰＣ、２２  チューナー側無線ＬＡＮＩ／Ｆ、２３  記録側無線ＬＡＮＩ／Ｆ、３０  デマルチプレクサ、３１  ストリーム抽出手段、３２  ビデオデコーダ、３４  再生速度制御手段、３５  オーディオデコーダ。
【図１】
2010136160.tif 000003
【図２】
2010136160.tif 000004
【図３】
2010136160.tif 000005
【図４】
2010136160.tif 000006
【図５】
2010136160.tif 000007
【図６】
2010136160.tif 000008